(57)【要約】【課題】  床ずれ、寝返りの違和感、関節痛、腰痛、寝冷えなどが無い、良好な寝心地が得られるフローティングベッドシステムを提供する。【解決手段】  水の中に浮かんだ状態で眠る。使用者の呼吸に支障ないように、使用者の頭部が水没せずに水中に身体が漂い浮かんでいる状態をつくるとともに快適な眠りのための水温調整ができるベッドの提供。【選択図】図１
2016052488.tif 000002
【特許請求の範囲】
【請求項１】
水が入れられた本体と、
使用者が水面より頭部を浮かせるための浮き袋または浮力材を備えており、使用者が前記本体内に入り、立位の状態で水中に身体を保持し睡眠することを特徴とするフローティングベッドシステム。
【請求項２】
前記本体内の水の温度を調整、管理するための水温調整装置を更に備え、使用者の体温と本体内の水温をセンサから検知し制御ユニットと連動させ、ヒーター及びクーラーを作動させることによって、本体内の水温を体温と同じ温度、体温プラス何℃、体温マイナス何℃、あるいは、あらかじめ設定しておいた温度を保持できることを特徴とする請求項１に記載のフローティングベッドシステム。
【発明の詳細な説明】
【技術分野】
【０００１】  本発明は一般に、ベッドに関する。より詳細には、本発明は、使用者に良好な寝心地を提供するフローティングベッドシステムに関する。
【背景技術】
【０００２】  好適な寝心地を提供する種々の寝具やベッドが提案され、市販されている。
【発明の開示】
【発明が解決しようとする課題】
【０００３】  しかしながら、従来のベッドでは、ベッドに横たわり同じ姿勢を続けることにより、自身の体重が部分的に掛かるため、首、肩、腰、臀部等が圧迫され、関節痛やしびれを生じさせたり、極端な例であるかもしれないが、床ずれを起こすこともある。またベッドに横たわった際、横臥時と仰臥時で頭部と枕の位置関係が変わるため、寝返りの度毎に違和感を生じさせ、熟睡の妨げとなっていた。さらに、従来のベッドでは、室温と体温のバランスを専ら寝具の熱保持力に依存しているため、就寝時に理想的な体温を保持するのが容易ではなかった。また、夏の夜の室温が高くて安眠できず、寝不足により体調をくずしたり、室内で熱中症になる人も少なくない。【０００４】  このように、従来の寝具やベッドは、種々の不都合を包含しており、満足すべきものが見当たらないのが現状である。本発明は、このような事情に鑑みて案出されたものであって、良好な寝心地を提供するフローティングベッドシステムを提供することを目的としている。
【課題を解決するための手段】
【０００５】  本願請求項１に記載のフローティングベッドシステムは、水が入れられた本体と、使用者が安心して呼吸するために頭部を水面上に保持するための浮き袋又は浮力材を備えている。これにより使用者の身体を首より下の部分が水中に保持できることを特徴とするものである。【０００６】  本願請求項２に記載のフローティングベッドシステムは、前記請求項１のシステムにおいて、前記本体内の水温を調整管理するための水温調整装置を更に備え、使用者の体温と本体内の水温をセンサから検知し制御ユニットと連動させることによって、体温と同じ温度、または、体温プラス何度、または、体温マイナス何度、あるいは、あらかじめ設定していた温度を保持することができる水温調整装置を有していることを特徴とするものである。
【発明の効果】
【０００７】  本発明のフローティングベッドシステムによれば、使用者の身体を水中に安定的に保持すると同じ状態をつくることができるので、快適な寝心地を提供することができる。また、水温調整装置を備えることにより、体温に合わせる等の水温調整をすることができ、快適な睡眠環境を提供することが可能になる。
【発明を実施するための最良の形態】
【０００８】  次に図面を参照して、本発明の好ましい実施の形態に係るフローティングベッドシステムについて詳細を説明する。図１は、本発明の好ましい実施の形態に係るフローティングベッドシステムの全体を模式的に示した分解斜視図である。図１において全体として参照符号１０で示される本発明の本発明の好ましい実施の形態に係るフローティングベッドシステムは、適温に温められた水が入れられた本体２１に浮き袋又は浮力材１１，１２を装着した使用者が水面より頭部を出し水中に浮いている。【０００９】  フローティングベッドシステム１０は、使用者が日常と変わらない呼吸するための浮き袋又は浮力材１１，１２を装着する。このため使用者の身体を水中に浮かんだ状態で安定的に保持することができることを特徴とするものである。【００１０】  本体２１は床の上に設置する場合と床をくり抜いた形で設置する場合がある。床の上に設置する場合は入るために階段、梯子または、リフトなどが必要である。また、本体２１から出る場合本体内分にステップまたは梯子または、リフトなどが必要である【００１１】  フローティングベッドシステム１０は、本体２１のベッド使用者が浮力の調整をしたい場合、浮き袋又は浮力材１１と浮き袋又は浮力材１２の組み合わせによって調整することができる。１１と１２、２つを１度に使用することもできるし、１１と１２を単独に使用することができる。また、浮き袋又は浮力材１１と１２の空気量や浮力材の発砲スチロールなどの容量を状況に応じて大きくしたり、少なくしたりできる。また、浮き袋又は浮力材１１はあご、首、後頭部にかけて首に巻いたような形となる。また、浮き袋又は浮力材１２は、ベストのような形になる。胸の部分等で開閉する。勿論１１と１２は装着後睡眠中に外れないように措置を取る。さらに、浮力調整する場合は、塩を用い、塩分濃度で調整する。【００１２】  本体２１は水が本体上部まで、水が入っても変形しない強度のものを用いる。たとえば、ＦＲＰや鉄材コンクリート。また、フレームを組みフレーム内に防水性で強度の高いシートで成形することも可能である。結露、保温性を考えると断熱材を本体の内側の面などに貼りつけるのが好ましいが、他の方法でも構わない。また、本体２１を大きくすることにより一度に複数の人が使用することも可能となる。【００１３】  フローティングベッドシステム１０は、図２参照、本体１８内の水を加温冷却する、ヒーター及びクーラー２３を有し、本体１８内の水の温度を調整するための水温調整装置２２を備えている。水温調整装置２２は使用者の体温ｔ１を検知する、体温検知センサ２２ａと本体内の水温ｔ２を検知する水温検知センサ２２ｂと体温検知センサ２２ａから得られる体温データと水温検知センサ２２ｂから得られる水温データの差Δｔ（＝｜ｔ１−ｔ２｜）を計算し、温度差Δｔが予め設定した値α以上である場合（Δｔ＞α）には、ヒーター及びクーラー２３に作動信号をおくる制御ユニット２２ｃとを有している。また、制御ユニット２２ｃは、センサ２２ａ、２２ｂとは別に、単独で本体１８内の水温をコントロールすることができる。なお、体温検知センサ２２ａと制御ユニット２２ｃ、水温検知センサ２２ｂと制御ユニット２２ｃ及び��御ユニット２２ｃとヒーター及びクーラー２３はコード２２ｄ、コード２２ｅ、コード２２ｆでそれぞれ接続されている。（体温検知センサ２２ａは本体内の水温に影響を受けない形をしている）【００１４】  なお、ヒーター及びクーラー２３より押し出された水がホース２４ａを通り、吹き出し口２６より本体１８内へ放出され、放出された分の水が吸い込み口２５、さらにホース２４ｂを通りヒーター及びクーラー２３に戻り、熱媒体もしくは冷媒体に接触させ温度を安定保持させる方式をとっている。ではあるが、循環する水の流れが使用者に影響を及ぼす場合は、このような循環式を選択しない場合もありうる。また、浮力の調整に塩が使用された場合はヒーター内部塩の結晶化がおきて水の循環悪くなるので、この場合は、一般的に投げ込みヒーターと言われているヒーターの形で水温調整させるのが好ましいと思われる。がこればかりではない。【００１５】  以上のように構成されたフローティングベッドシステム１０の作動について説明する。フローティングベッドシステム１０の使用に先立って、本体２１に水を入れ、使用者にとって適当な温度に調整しておく。次に、水温設定し、体温検知センサ２２ａを脇の下等にしっかりと接着させる。次に、浮き袋又は浮力材１１と１２を装着し入水する。【００１６】  本発明は、以上の発明実施の形態に限定されることなく、特許請求の範囲に記載された発明の範囲内で、種々の変更が可能であり、それらも本発明の範囲内に包含されるものであることはいうまでもない。
【図面の簡単な説明】
【００１７】
【図１】本発明の実施の形態に係るフローティングベッドシステム全体を模式図に示した分解斜視図。
【図２】水温調整装置を説明するための模式図。
【符号の説明】
【００１８】１０  フローティングベッドシステム
１１  浮き袋又は浮力材
１２  浮き袋又は浮力材
２１  本体
２２  水温調整装置
２２ａ  体温検知センサ
２２ｂ  水温検知センサ
２２ｃ  制御ユニット
２２ｄ、２２ｅ、２２ｆ  コード
２３  ヒーター及びクーラー
２４  ホース
２５  水の吸い込み口
２６  水の噴き出し口
２７  水
【図１】
2016052488.tif 000003
【図２】
2016052488.tif 000004